(57)【要約】【課題】  縦壁へのベンチレータの組み付け作用を容易とし、外観上の仕上りも良好で、ベンチレータ部から室内への水の進入を確実に防ぐことが可能なベンチレータを備えるコンテナを提供する。【解決手段】  ベンチレータユニット10を、コンテナ６とは別工程で作成する。そして、縦壁２に形成された必要最小限の開口面積を有する通気口７に対し、コンテナ室内側から密着させ、スポット溶接、リベット止め等点固定により縦壁２に据付ける。よって、コンテナ縦壁２にベンチレータを設けるための工数が、極めて少なくなる。また、ベンチレータユニット10の内部の塗装作業も、ベンチレータユニット10の組立て工程において行うことが可能となり、塗装作業の工数も低減される。  【選択図】      図１
2005053556.tif 000002
【特許請求の範囲】
【請求項１】
上下に位置をずらして配置した内側開口と外側開口とを蛇行する通気路で連通してなるベンチレータを、縦壁に有するコンテナであって、
板材を組み合わせて内側開口、外側開口および蛇行する通気路が一体に形成され、かつ前記内側開口を塞ぐ蓋を備える独立したベンチレータユニットを、縦壁に形成された必要最小限の開口面積を有する通気口に対し、コンテナ室内側から密着させ、点固定により縦壁に据付けて、前記ベンチレータを構成することを特徴とするコンテナ。
【請求項２】
前記コンテナの縦壁に形成した通気口の周囲を、コンテナ室内側から覆うと共に、上方に開放して前記ベンチレータユニットの挿し込み部を構成するポケット部材が、前記ベンチレータユニットとは別個に、前記縦壁に対し点固定により据付けられていることを特徴とする請求項１記載のコンテナ。
【請求項３】
前記ベンチレータユニットは、前記コンテナの縦壁に形成した通気口を通して、コンテナ外部に蓋の開閉状態を表示する表示板を備えることを特徴とする請求項１または２記載のコンテナ。
【発明の詳細な説明】
【技術分野】
【０００１】
本発明は、縦壁に設けたベンチレータにより、内部換気を可能としたコンテナに関するものである。
【背景技術】
【０００２】
従来から、コンテナに収納する貨物の種類に応じ、内部換気の有無を選択することを可能とするために、換気孔開閉装置を備えるコンテナが用いられている。
ところで、従来の換気孔開閉装置を備えるコンテナは、換気孔開閉装置の構造が、コンテナをトラック、鉄道貨車等の輸送手段に搭載した状態における、換気孔の開閉操作に重点を置いたものとなっていた。具体的には、図８に示すように、コンテナ１の縦壁２（図示の例では扉）の外側に通風孔の蓋３を設け、かつ、蓋３を開閉するための操作レバー４を、縦壁２の比較的下方に設けることで、輸送手段に搭載した状態で、作業者が容易に操作レバー４を操作できるようにしていた。また、複数箇所に通風孔を設ける場合には、各通風孔の蓋３と操作レバー４とをリンク５によって結合し、１つの操作レバーの操作によって、複数の蓋を開閉することができるような工夫がなされていた（例えば、特許文献１参照。）。
【０００３】
【特許文献１】実公平４−３０１５２号公報（第２頁、第１図）
【発明の開示】
【発明が解決しようとする課題】
【０００４】
しかしながら、実際には、出発地において貨物に適した条件で通風孔の開度を決め、到着地までその開度を維持すれば良いことが多く、換気孔開閉装置の操作は、コンテナの出発地から到着地に至るまでの間に行うことは稀であった。また、開閉レバーをコンテナ縦壁の操作し易い場所に設けていることが災いし、誤操作や悪戯による蓋の開閉操作がなされ、コンテナ内の貨物に悪影響を及ぼすおそれもあった。
【０００５】
本発明は、上記課題に鑑みてなされたものであり、その目的とするところは、室内からのみベンチレータの開閉を行うことを可能とするコンテナを提供することを課題とするものである。しかも、縦壁へのベンチレータの組み付け作用を容易とし、なおかつ、外観上の仕上りも良好で、ベンチレータ部から室内への水の進入を確実に防ぐことが可能なベンチレータを備えるコンテナを提供することを課題とするものである。
さらに、室内からのみベンチレータの開閉を行うことを可能とするコンテナにおいて、コンテナの扉を閉めた状態でも、外部から通気口の開閉状態を確認することを可能とし、使い勝手の向上を図ることを課題とするものである。
【課題を解決するための手段】
【０００６】
上記課題を解決するための、本発明の請求項１に係るコンテナは、上下に位置をずらして配置した内側開口と外側開口とを蛇行する通気路で連通してなるベンチレータを、縦壁に有するコンテナであって、板材を組み合わせて内側開口、外側開口および蛇行する通気路が一体に形成され、かつ前記内側開口を塞ぐ蓋を備える独立したベンチレータユニットを、縦壁に形成された必要最小限の開口面積を有する通気口に対し、コンテナ室内側から密着させ、点固定により縦壁に据付けて、前記ベンチレータを構成することを特徴とするものである。
【０００７】
一般に、縦壁に対し複数の部材を固定してベンチレータを形成する作業は、作業者に無理な姿勢を強いる等、作業性に難がある。しかしながら、本発明によれば、前記ベンチレータユニットが、板材を組み合わせて内側開口、外側開口および蛇行する通気路が一体に形成されかつ前記内側開口を塞ぐ蓋を備える、独立したユニットとして構成されていることから、ベンチレータユニットについては、コンテナとは別工程で作成されるものである。そして、このベンチレータユニットを、縦壁に形成された必要最小限の開口面積を有する通気口に対し、コンテナ室内側から密着させ、点固定により縦壁に据付けることによって、コンテナ縦壁にベンチレータを構成している。
【０００８】
前記ベンチレータユニットはそれ自体で独立していることから、このベンチレータユニットの適当な場所から選択した数点を、スポット溶接や、数点のリベット止め等、点固定により縦壁に据付けることのみによって、前記ベンチレータユニットはコンテナ縦壁に確実に固定され、かつ、ベンチレータとして機能する。このため、複数の部品を各々縦壁に固定してベンチレータを構成する場合と比べ、縦壁に対する固定箇所を少なくすることができる。そして、溶接により点固定を行う場合には、コンテナ外板に生ずる溶接歪の発生を抑えることができる。また、リベット止めにより点固定を行う場合には、水の侵入を招き易いリベット穴の形成数を少なく抑えることができる。したがって、コンテナ縦壁に対する工数を少なくして、組立て作業性向上させることができる。しかも、外観上の仕上りを向上させ、かつ、ベンチレータ部からの水漏れ等の不具合を防ぐことができる。
また、縦壁に形成された通気口を必要最小限の開口面積を有するものとしたことで、換気機能は確保しつつ、当該通気口からの雨水の侵入が起こり難い構造となる。
さらに、前記ベンチレータユニットには、前記内側開口を塞ぐ蓋が設けられていることから、当該蓋はコンテナ室内側からのみ、開閉を行うことが可能となる。
【０００９】
また、本発明の請求項２に係るコンテナは、請求項１記載のコンテナにおいて、前記コンテナの縦壁に形成した通気口の周囲を、コンテナ室内側から覆うと共に、上方に開放して前記ベンチレータユニットの挿し込み部を構成するポケット部材が、前記ベンチレータユニットとは別個に、前記縦壁に対し点固定により据付けられているものである。
【００１０】
本発明によれば、前記ポケット部材に前記ベンチレータユニットの下端部を挿し込むことにより、縦壁に対する前記ベンチレータユニットの位置決めを、確実に行うことが可能となる。そして、前記ポケット部材に挿し込まれたベンチレータユニットの、下端部以外の部分を縦壁に対し点固定することで、簡単、確実にベンチレータユニットを縦壁に固定することが可能となる。
しかも、前記ポケット部材が、前記コンテナの縦壁に形成した通気口の周囲を、コンテナ室内側から覆うものであることから、前記通気口から侵入する水は、概ね前記ポケット部材によってベンチレータ奥部への侵入が遮られることとなる。すなわち、前記コンテナの縦壁に形成した通気口周辺部からコンテナ室内への水の侵入が、前記ポケット部材によって阻止され得るものであることから、当該ポケット部材に挿し込まれる前記ベンチレータユニットの下端部を比較的大開口とし、蛇行する通気路等のベンチレータユニット内部の塗装作業を容易に行えるものとすることができる。そして、かかるベンチレータユニット下端部を前記ポケット部材に挿し込んだ後に、ベンチレータユニットとポケット部材との間にシールを施工することで、ベンチレータ部における密閉性を十分に確保することが可能となる。
【００１１】
なお、上記のシールを施工する部分は、何れもコンテナ室内側に位置するものであることから、シールがコンテナ外壁に露出する場合に問題となる、シール部からの水の侵入といった問題は、そもそも生じないものである。
【００１２】
また、本発明の請求項３に係るコンテナは、請求項１または２記載のコンテナにおいて、前記ベンチレータユニットは、前記コンテナの縦壁に形成した通気口を通して、コンテナ外部に蓋の開閉状態を表示する表示板を備えることとしたものである。
本発明によれば、コンテナの扉を閉めた状態でも、外部から通気口の開閉状態を確認することが可能となる。
【発明の効果】
【００１３】
本発明はこのように構成したので、室内からのみベンチレータの開閉を行うことを可能とするコンテナを提供することが可能となる。また、縦壁へのベンチレータの組み付け作用を容易とし、なおかつ、ベンチレータ部から室内への水の進入を確実に防ぐことが可能なベンチレータを備えるコンテナを提供することが可能となる。
さらに、室内からのみベンチレータの開閉を行うことを可能とするコンテナにおいて、コンテナの扉を閉めた状態でも、外部から通気口の開閉状態を確認することを可能とし、使い勝手の向上を図ることができる。
【発明を実施するための最良の形態】
【００１４】
以下、本発明を実施するための最良の形態（以下、「本発明の実施の形態」という。）を添付図面に基づいて説明する。なお、従来技術と同一部分若しくは相当する部分については同一符号で示し、詳しい説明を省略する。
【００１５】
図１には、本発明の実施の形態に係るコンテナ６を示している。また、図２（ａ）には、コンテナ６の縦壁２に形成された必要最小限の開口面積を有する通気口７の周辺部をコンテナ内側から見た状態を、図２（ｂ）には、図２（ａ）のＡ−Ａ線における断面図を、各々示している。なお、図示の例では、コンテナの縦壁２は扉であるが、固定壁であっても良い。
縦壁２は、外板８を内側から複数の補強部材９（図２に一部が示されている。）で補強することにより、必要な強度を確保する構造を有している。そして、縦壁２の内側には、これら補強部材９を避ける位置に、ベンチレータユニット10が固定されている。ベンチレータユニット10は、板材を組み合わせることによって、図２（ｂ）に示す内側開口13、外側開口30および通気路11が一体に形成され、なおかつ、内側開口13を塞ぐ蓋15を備えるものであり、それ自体独立して構造を維持する強度を有している。
また、通気口７の周囲を、コンテナ室内側から覆うと共に、上方に開放してベンチレータユニット10の挿し込み部を構成するポケット部材31が、ベンチレータユニット10とは別個に、縦壁２に対し固定されている。
【００１６】
ここで、ベンチレータユニット10の構造について、詳しく説明する。
ベンチレータユニット10は、板材を折り曲げて、四方を壁面で囲まれた凹部32を形成し、凹部32の上方には、補強部材９と密着するためのフランジ部33を、凹部32の下方には、通気路11を形成するための通気路壁面部34を一体に形成すると共に、同じく板材を折り曲げて形成したルーバー14を溶接した、本体部35を有している。ベンチレータユニット10の通気路11は、ルーバー14が交互に突出することによって、蛇行する通気路として構成され、外側開口30から水が侵入した場合であっても、内側開口13まで容易に水が到達しないようになっている。
なお、凹部32とフランジ部33および通気路壁面部34との段差は、補強部材９に合わせて決定されている。すなわち、ベンチレータユニット10は、外板８に固定された状態で、補強部材９の室内側への突出量とほぼ同等の突出量となるように構成され、コンテナ６の容積を侵食することを防いでいる。また、本体部35をポケット部材31に挿し込み、縦壁２に密着させることで、通気路11は、内側開口13および外側開口30のみ開放した箱体となる。そして、外板８に密着させた本体部35の周囲にシール施工を施すことで、ベンチレータユニット10は、内側開口13および外側開口30以外の部分の密閉性が確保される。図２（ｂ）において符号36で示す部材は、通気性を確保しつつ外側開口30からの粉雪等の侵入を防ぐために設置されたものであり、比較的目の荒いスポンジ材等が用いられる。
【００１７】
さらに、ベンチレータユニット10の凹部32には、内側開口13を塞ぐ蓋15と、蓋15を通気路11の上側面12へと弾発付勢するバネ等の付勢手段16と、付勢手段16の弾発力に対抗して、蓋15を通気路11の上側面12から離間した位置に固定する固定手段17とを設けている。図２（ｂ）には、蓋15を閉じた状態を実線で、蓋15を開いた状態を点線で、各々示している。
【００１８】
図３には、図２（ｂ）の固定手段17の周辺部を拡大して示している。蓋15は、付勢手段16（図２（ａ））の弾性力を受ける金属製のフレーム部18と、防水ゴム等からなるシール部19とからなり、フレーム部18には、図２（ａ）、（ｂ）に示すように、取手20が固定されている。
また、固定手段17には、いわゆるスライドラッチが用いられている。このスライドラッチを構成する固定ノブ21が、ブラケット22を介して凹部32に固定され、可動ノブ23が回転軸24によって固定ノブ21に軸支されている。また、固定ノブ21と可動ノブ23との間には、捩りコイルバネ25の弾性力が付与されており、可動ノブ23は、常時、回転軸24を中心として図３の反時計回り方向に付勢されている。さらに、可動ノブ23には、係止爪26が一体形成されており、この係止爪26を、取手20に固定された係止プレート27の係止穴28に噛み合わせることで、蓋15の位置を固定することができる。
【００１９】
また、蓋15は、バネ等の付勢手段16（図２（ａ））の弾発力によって、常時下方に弾発付勢され、シール部19を通気路11の上側面12に密着させている。よって、通気路11の上側面12に開口する内側通気孔13は、蓋15のシール部19によって密閉される。一方、作業者が取手20を持上げ、付勢手段16の弾発力に対抗して蓋15を通気路の上側面12から離間させ、取手20に固定した係止プレート27の係止穴28に、可動ノブ23の係止爪26を噛合わせることにより、蓋15は付勢手段16の弾発力に対抗してこの位置に固定される。
再び蓋15を閉じる際には、作業者はスライドラッチの固定ノブ21および可動ノブ23を握り、係止爪26を係止プレート27の係止穴28から外すことにより、蓋15の位置固定が解除される。そして、蓋15を下降させ、付勢手段16の弾発力を利用してシール部19を通気路11の上側面12に密着させることで、内側開口13を密閉することが可能となる。なお、図３においても、蓋15を閉じた状態を実線で、蓋15を開いた状態を点線で、各々示している。
【００２０】
また、図５に示すように、蓋15のフレーム部18には、ガイドピン37が固定されると共に、ガイドピン37を摺動案内するガイドスリーブ38が、ブラケット39、40を介して凹部32に固定されている。ここで、ブラケット39とガイドスリーブ38とは一体部品であり、ブラケット40は凹部32に溶接されている。そして、ブラケット39とブラケット40とが、ボルト41によって固定されている。コイルバネである付勢手段16は、ガイドスリーブ38の外周部に嵌め込まれ、その上端部をブラケット39に、下端部を蓋15のフレーム部18に圧接させている。以上の構造から、蓋15が昇降する際には、ガイドピン37とガイドスリーブ38とによって蓋15が摺動案内されると共に、付勢手段16の脱落が防止される構造となっている。図５においても、蓋15を閉じた状態を実線で、蓋15を開いた状態を点線で、各々示している。
【００２１】
さらに、図４に示すように、蓋15のフレーム部18には、シール部19を貫通するスリーブ42がボルト43によって固定されている。また、スリーブ42には、下方へと延びるステー44（図２（ａ）にも点線で示されている。）が固定され、なおかつ、ステー44の下端部には表示板45が固定されている。なお、蛇行する通気路11を構成するルーバー14の一部には、ステー44を配置するための切欠き51（図２（ａ）にのみ点線で示す。）が設けられている。したがって、ステー44および表示板45は蓋15の昇降動作に応じ、蛇行する通気路11の内部を上下に移動する。
なお、ステー44の長さおよび表示板45の形状は、ベンチレータユニット10を、外板８の内側面の所定位置に固定し、蓋15のシール部19を通気路11の上側面12に密着させて内側開口13を密閉した状態で、表示板45が、外壁２の通気口７を通してコンテナ外部から見えるようなものであり、なおかつ、蓋15を通気路の上側面12から離間させ、取手20に固定した係止プレート27の係止穴28に可動ノブ23の係止爪26を噛合わせた状態で、表示板45が外壁２の通気路７の開口範囲から外れ、コンテナ外部から表示板45が見えなくなるように構成されている。
【００２２】
次に、ポケット部材31について、図６を参照しながら詳しく説明する。ここで、図６（ａ）は、ポケット部材31を外板８に固定した状態を示す上面図であり、図６（ｂ）は、ポケット部材31を室内側から見た側面図であり、図６（ｃ）は、ポケット部材31を外板８に固定した状態を示す断面図である。
ポケット部材31は、長手方向側方および上方が開口部46、47となるように、板材を組み合わせて形成したものである。また、外板８の内側面に密着する両側のフランジ48と、室内側から通気口７に挿通されてコンテナ外部へと露出し、外板８の外側面に密着する下部フランジ49とを一体に有している。そして、長手方向側方の開口部46は、縦壁２を構成する外板８に形成された通気口７とほぼ同一の開口面積を有している。一方、上方の開口部47は、ベンチレータユニット10の下端部を挿し込むことが可能で、かつ、ベンチレータユニット10を挿し込んだ状態で、ベンチレータユニット10とポケット部材31との間にシール処理を施すことにより、十分に密閉性を確保することが可能な開口形状を有している。さらに、ポケット部材31の底面50は、コンテナ室内側から外部へ向けて下降する傾斜面となっている。
以上の構造から、ポケット部材31は、コンテナの縦壁２に形成した通気口７の周囲を、コンテナ室内側から覆うと共に、上方に開放してベンチレータユニット10の挿し込み部を構成するものである。そして、長手方向側方の開口部46（通気口７）からポケット部材31の内部に雨水等が侵入しても、雨水等は傾斜面である底面50を流れ落ちるので、ポケット部材31内に溜まることはない。
【００２３】
ポケット部材31を外板８に固定する際には、下部フランジ49を室内側から通気口７に挿通し、外板８の外側面に密着させると共に、両側のフランジ48を外板８の内側面に密着させる。そして、両側のフランジ部48を、数点のスポット溶接によって外板８に対し固定する。さらに、両側のフランジ部48と外板８の内側面との密着部分に防水シールを施工する。また下部フランジ49と外板８の外側面との密着部分にも、防水シールを施工する。下部フランジ49と外板８の外側面との密着部分は、唯一外板８の外側面に防水シールを施工する部分であるが、かかる部分にリベット止め等、水漏れを生ずるおそれがある穴を形成するものではないことから、当該防水シール施工部からコンテナ室内への水の侵入のおそれはない。
【００２４】
このようにして外板８に固定されたポケット部材31に、ベンチレータユニット10の下端部を挿し込むことにより、縦壁２（外板８）に対するベンチレータユニット10の位置決めを、簡単かつ確実に行うことができる。そして、ベンチレータユニット10の、本体部35に形成されたフランジ部33を、外板８に固定された補強部材９に対し、リベット止め、スポット溶接などによって点固定することで、ベンチレータユニット10は外板８に対し確実に固定される。そして、前述のごとく、外板８に密着させたベンチレータユニット10の本体部35の周囲にシール施工を施すことで、ベンチレータユニット10は、内側開口13および外側開口30以外の部分の密閉性が確保される。したがって、縦壁２に形成された通気口７からベンチレータユニット10内に水か侵入した場合であっても、その水がコンテナ室内へと漏れ出すことを確実に防ぐことができ、高い密閉性が確保される。
補強部材９は外板８の内側面に固定された部材であることから、フランジ部33を固定するためにリベットを用いた場合でも、そのリベット穴による水の侵入を心配する必要はない。
【００２５】
上記構成をなす本発明の実施の形態により得られる作用効果は、以下の通りである。まず、ベンチレータユニット10が、板材を組み合わせて内側開口13、外側開口30および蛇行する通気路11が一体に形成され、かつ、内側開口13を塞ぐ蓋を備える、独立したユニットとして構成されている。このため、ベンチレータユニット10を、コンテナ６とは別工程で作成し、縦壁２に形成された必要最小限の開口面積を有する通気口７に対し、コンテナ室内側から密着させ、スポット溶接、リベット止め等点固定により縦壁２に据付けることによって、容易に、コンテナ縦壁２にベンチレータを構成することができる。一般に、縦壁に対し複数の部材を固定してベンチレータを形成する作業は、作業者に無理な姿勢を強いる等、作業性に難があることから、本発明の実施の形態によれば、コンテナ縦壁２にベンチレータを設けるための工数が、極めて少なくなる。
また、ベンチレータユニット10内部の塗装作業も、ベンチレータユニット10の組立て工程において行うことが可能となり、塗装作業の工数も低減される。
【００２６】
また、ベンチレータユニット10がそれ自体独立して構造を維持する強度を有しているものであることから、このベンチレータユニット10の適当な場所（本実施の形態では、フランジ部33）から選択した数点を、スポット溶接や、数点のリベット止め等、点固定により縦壁に据付けることのみによって、ベンチレータユニット10はコンテナ縦壁に確実に固定され、かつ、ベンチレータとして機能する。このため、複数の部品を各々縦壁に固定してベンチレータを構成する場合と比べ、縦壁２に対する固定箇所を少なくすることができる。そして、縦壁２に対し溶接により点固定を行う場合には、コンテナ外板８に生ずる溶接歪の発生を抑えることができ、外観上の仕上りを向上させることができる。また、溶接歪の発生を抑えることで、部品同士の位置関係にズレが生じることがなくなり、蓋15を昇降させるためのガイドピン37とガイドスリーブ38のスライド動作が阻害される等の弊害も生じなくなる。一方、縦壁２に対しリベット止めにより点固定を行う場合には、水の侵入を招き易いリベット穴の形成数を少なく抑えることができるので、ベンチレータ部からの水漏れ等の不具合を防ぐことができる。また、リベットの凹凸が少なく平滑な縦壁２とすることができる。
また、本発明の実施の形態では、縦壁２に形成された通気口７を必要最小限の開口面積を有するものとしたことで、換気機能は確保しつつ、当該通気口からの雨水の侵入が、基本的に起こり難い構造となる。
さらに、ベンチレータユニット10には、内側開口13を塞ぐ蓋15が設けられていることから、蓋15はコンテナ室内側からのみ開閉を行うことができるものとなる。よって、誤操作や悪戯による蓋の開閉操作を回避することができる。
【００２７】
また、ベンチレータユニット10とは別個に縦壁２に固定したポケット部材31に、ベンチレータユニット10の下端部を挿し込むことにより、縦壁２に対するベンチレータユニット10の位置決めを、確実に行うことが可能となる。そして、ポケット部材31に挿し込まれたベンチレータユニットの、下端部以外の部分（本実施の形態では、フランジ部33）を縦壁（本実施の形態では、補強部材９を介して縦壁２に固定している。）に対し点固定することで、簡単、確実にベンチレータユニット10を縦壁２に固定することが可能となる。
ポケット部材31を縦壁２に対し固定する際にも、スポット溶接や、数点のリベット止め等、点固定により据付けるを行うことで、取り付け工数の削減、コンテナ外板８の溶接歪の発生の抑制、水漏れ等の不具合の防止を図ることができる。
しかも、ポケット部材31が、コンテナ６の縦壁２に形成した通気口７の周囲を、コンテナ室内側から覆うものであることから、通気口７から侵入する水は、概ねポケット部材31によってベンチレータ奥部への侵入が遮られることとなる。このように、コンテナ６の縦壁２に形成した通気口７の周辺部からコンテナ室内への水の侵入が、ポケット部材によって阻止され得るものであることから、ポケット部材31に挿し込まれるベンチレータユニット10の下端部を比較的大開口に構成し、蛇行する通気路11等のベンチレータユニット10内部の塗装作業を、さらに容易に行えるものとすることができる。そして、かかるベンチレータユニット10の下端部を、ポケット部材31に挿し込んだ後に、ベンチレータユニット10とポケット部材31との間にシールを施工することで、ベンチレータ部における密閉性を十分に確保することが可能となる。
【００２８】
なお、上記のシールを施工する部分は、何れもコンテナ室内側に位置するものであることから、シールがコンテナ外壁に露出する場合に問題となる、シール部からの水の侵入といった問題は、そもそも生じないものである。
たとえば、図７（ａ）に示すように、コンテナ縦壁２に、ベンチレータユニット11を外側から嵌め込む大開口52を設けたような場合には、嵌め込まれたベンチレータユニット11を縦壁２に溶接によって固定した場合には、大開口52とベンチレータユニット11との境界線に溶接線が生じ、溶接歪が大きくなって部品の位置にズレを生じるおそれがあり、かつ、コンテナの外観上の仕上りを悪化させることとなる。また、大開口52に嵌め込まれたベンチレータユニット11をリベットによって縦壁２に固定した場合には、図７（ｂ）に示すように、多数のリベット53を用いる必要があり、なおかつ、大開口52とベンチレータユニット11との境界線に沿って外部に露出するようにシール54（斜線で示す）を施工する必要があるので、このシール54の施工部から、コンテナ室内への水の侵入を生じ易くなる。
本発明の実施の形態によれば、このような問題は発生せず、縦壁へのベンチレータの組み付け作用を容易とし、なおかつ、外観上の仕上りも良好で、ベンチレータ部から室内への水の進入を確実に防ぐことが可能なベンチレータを備えるコンテナを提供することが可能となる。
【００２９】
また、本発明の実施の形態では、ベンチレータユニット10は、コンテナ６の縦壁に形成した通気口７を通して、コンテナ６の外部に蓋の開閉状態を表示する表示板45を備えることから、コンテナ６の扉を閉めた状態でも、コンテナ外部から内側開口13の開閉状態を確認することが可能となる。よって、縦壁２に形成された通気口７の開口面積を必要最小限として、外部からの雨水等の侵入を防ぎ、かつ、蓋15をコンテナ室内側からのみ開閉を行うことができるものとしながら、外部からベンチレータユニット10の内側開口13の開閉状態を、容易に確認することが可能となる。したがって、室内からのみベンチレータの開閉を行うことを可能とするコンテナ６の、使い勝手の向上を図ることができる。
【図面の簡単な説明】
【００３０】
【図１】本発明の実施の形態に係るコンテナの側面図である。
【図２】（ａ）は、図１に示すコンテナの縦壁に形成された必要最小限の開口面積を有する通気口の周辺部をコンテナ内側から見た状態を、（ｂ）は、（ａ）のＡ−Ａ線における断面図を、各々示している。
【図３】図２（ｂ）に示す固定手段の周辺部を拡大して図示したものである。
【図４】図２（ａ）のＢ−Ｂ線における断面図である。
【図５】図２（ａ）のＣ−Ｃ線における断面図である。
【図６】ベンチレータユニットとは別個に、縦壁に据付けられるポケット部材を示すものであり、（ａ）は、ポケット部材を外板に固定した状態を示す上面図、（ｂ）は、ポケット部材を室内側から見た側面図、（ｃ）は、ポケット部材を外板に固定した状態を示す断面図である。
【図７】本発明とは異なるベンチレータユニットの据付け構造を採用した場合の欠点を示す説明図であり、（ａ）は据付け前のベンチレータユニットと縦壁を、（ｂ）はリベットによる据付け後のベンチレータユニットと縦壁を示すものである。
【図８】従来のコンテナの側面図である。
【符号の説明】
【００３１】
２：縦壁、６：コンテナ、７：通気口、８：外板、10：ベンチレータユニット、11：蛇行する通気路、13：内側開口、15：蓋、30：外側開口、31：ポケット部材、32：凹部、33：フランジ部、34：通気路壁面部、35：本体部、42：スリーブ、44：ステー、45：表示板、46、47：開口部
【図１】
2005053556.tif 000003
【図２】
2005053556.tif 000004
【図３】
2005053556.tif 000005
【図４】
2005053556.tif 000006
【図５】
2005053556.tif 000007
【図６】
2005053556.tif 000008
【図７】
2005053556.tif 000009
【図８】
2005053556.tif 000010